【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
ワイヤレス通信デバイスにおいてマルチキャストレート制御を行う方法であって、前記方法が、
第１のデータレートでマルチキャストグループ中の複数の局にデータフレームを送信することと、
前記複数の局のうちから前記複数の局の第１のサブセットを選択することと、
前記複数の局の前記第１のサブセットに肯定応答（ＡＣＫ）を要求することと、
前記ＡＣＫを使用して前記複数の局の前記第１のサブセットについてのフレーム損失を判断することと、
前記複数の局の前記第１のサブセットについての前記フレーム損失に基づいて第２のデータレートを判断することと、
前記複数の局の前記第１のサブセットについての前記フレーム損失に基づいて前記複数の局の第２のサブセットを選択することと、
前記第２のデータレートで前記複数の局にデータフレームを送信することと、
前記複数の局の前記第２のサブセットのみにＡＣＫを要求することとを備え、
前記複数の局の前記第１のサブセットを選択することは、
前記複数の局のランダムサブセットを選択することと、
過去の低い信号強度（ＲＳＳＩ）をもつ局を選択することと、
過去のサウンディングフィードバックに基づいて局を選択することと、
のうちの１つを備える、方法。
【請求項２】
前記第２のデータレートを判断することが、前記複数の局の前記第１のサブセットについての前記フレーム損失のうちの少なくとも１つを所定のしきい値と比較することをさらに含む、請求項１に記載の方法。
【請求項３】
前記複数の局の前記第２のサブセットからの前記ＡＣＫを使用して、前記複数の局の前記第２のサブセットについてのフレーム損失を判断することと、
前記複数の局の前記第２のサブセットについての前記フレーム損失に基づいて現在のデータレートを調整することと、前記調整することが、調整されたデータレートを生成する、
前記調整されたデータレートを使用して前記複数の局にデータフレームを送信することとをさらに含む、請求項１に記載の方法。
【請求項４】
前記調整することが、前記複数の局の前記第２のサブセットについての前記フレーム損失のうちの少なくとも１つを所定のしきい値と比較することを含む、請求項３に記載の方法。
【請求項５】
前記調整されたデータレートを使用して前記複数の局に前記データフレームを送信した後に、時間期間が満了したかどうかを判断することをさらに含む、請求項３に記載の方法。
【請求項６】
前記時間期間が満了したとき、前記第１のデータレートで前記マルチキャストグループ中の前記複数の局にデータフレームを送信することに戻ることと、
前記時間期間が満了しなかったとき、前記複数の局の前記第２のサブセットのみにＡＣＫを要求することに戻ることとをさらに含む、請求項５に記載の方法。
【請求項７】
前記第１のデータレートが最低データレートである、または
前記第１のデータレートが低いが、最低データレートでない、請求項１に記載の方法。
【請求項８】
前記複数の局の前記第１のサブセットについての前記フレーム損失を判断することが、パケットエラーレート（ＰＥＲ）を判断することを含む、請求項１に記載の方法。
【請求項９】
前記複数の局の前記第２のサブセットを選択することが、最高フレーム損失をもつ局を識別することを含む、または
前記複数の局の前記第２のサブセットを選択することが、最高フレーム損失をもつ少なくとも２つの局を選択することを含む、または
前記複数の局の前記第２のサブセットを選択することが、最高フレーム損失をもつ前記複数の局の所定の割合を選択することを含む、または
前記複数の局の前記第２のサブセットを選択することが、前記複数の局の前記第１のサブセットに少なくとも１つの局をランダムに追加することを含む、請求項１に記載の方法。
【請求項１０】
ワイヤレス通信デバイスにおいてマルチキャストレート制御を行うためのコンピュータ実行可能命令を記憶する非一時的コンピュータ可読媒体であって、前記命令が、プロセッサによって実行されたとき、前記プロセッサに、請求項１−９のうちのいずれか一項の方法を実行させる、非一時的なコンピュータ可読媒体。
【請求項１１】
プロセッサブロックと、
前記プロセッサブロックに動作可能に関係する通信ブロックとを備える電子デバイスであって、前記通信ブロックが、前記電子デバイスにおいてマルチキャストレート制御を行うように構成され、前記通信ブロックが、
第１のデータレートでマルチキャストグループ中の複数の局にデータフレームを送信することと、
前記マルチキャストグループ中の前記複数の局の第１のサブセットを選択することと、
前記複数の局の前記第１のサブセットに肯定応答（ＡＣＫ）を要求することと、
前記ＡＣＫを使用して前記複数の局の前記第１のサブセットについてのフレーム損失を判断することと、
前記複数の局の前記第１のサブセットについての前記フレーム損失に基づいて第２のデータレートを判断することと、
前記複数の局の前記第１のサブセットについての前記フレーム損失に基づいて前記複数の局の第２のサブセットを選択することと、
前記第２のデータレートで前記複数の局にデータフレームを送信することと、
前記複数の局の前記第２のサブセットのみにＡＣＫを要求することとを備えるプロセスを実行するように構成され、
前記複数の局の前記第１のサブセットを選択することは、
前記複数の局のランダムサブセットを選択することと、
過去の低い信号強度（ＲＳＳＩ）をもつ局を選択することと、
過去のサウンディングフィードバックに基づいて局を選択することと、
のうちの１つを備える、電子デバイス。
【請求項１２】
前記複数の局の前記第２のサブセットからの前記ＡＣＫを使用して、前記複数の局の前記第２のサブセットについてのフレーム損失を判断することと、
前記複数の局の前記第２のサブセットについての前記フレーム損失に基づいて現在のデータレートを調整することと、前記調整することが、調整されたデータレートを生成する、
前記調整されたデータレートを使用して前記複数の局にデータフレームを送信することとをさらに含み、任意で
前記調整することが、前記複数の局の前記第２のサブセットについての前記フレーム損失のうちの少なくとも１つを所定のしきい値と比較することを含む、または、
前記電子デバイスは、前記調整されたデータレートを使用して前記複数の局に前記データフレームを送信した後に、時間期間が満了したかどうかを判断することをさらに含む、請求項１１に記載の電子デバイス。
【請求項１３】
前記時間期間が満了したとき、前記第１のデータレートで前記マルチキャストグループ中の前記複数の局にデータフレームを送信するステップに戻ることと、
前記時間期間が満了しなかったとき、前記複数の局の前記第２のサブセットのみにＡＣＫを要求するステップに戻ることとをさらに含み、および／または
前記複数の局の前記第１のサブセットについての前記フレーム損失を判断することが、パケットエラーレート（ＰＥＲ）を判断することを含む、請求項１２に記載の電子デバイス。
【請求項１４】
前記複数の局の前記第２のサブセットを選択することが、最高フレーム損失をもつ局を識別することを含む、または
前記複数の局の前記第２のサブセットを選択することが、最高フレーム損失をもつ少なくとも２つの局を選択することを含む、または
前記複数の局の前記第２のサブセットを選択することが、最高フレーム損失をもつ前記複数の局の所定の割合を選択することを含む、請求項１１に記載の電子デバイス。
【請求項１５】
前記複数の局の前記第２のサブセットを選択することが、前記複数の局の前記第１のサブセットに少なくとも１つの局をランダムに追加することを含む、請求項１１に記載の電子デバイス。
【手続補正２】
【補正対象書類名】明細書
【補正対象項目名】００４６
【補正方法】変更
【補正の内容】
【００４６】
[0051]開示した実施形態の上記の説明は、当業者が本発明を製作または使用できるように提供したものである。これらの実施形態に対する様々な変更は当業者には容易に明らかであり、本明細書で定義した一般原理は、本発明の趣旨または範囲から逸脱することなく他の実施形態に適用され得る。たとえば、データレートを選択することについて上記で詳細に説明したが、この選択は、ＭＣＳ（変調およびコーディング方式）（表Ｉを参照）を選択することとしても特徴づけられ得る。したがって、本発明は、本明細書に示す実施形態に限定されるものではなく、本明細書で開示する原理および新規の特徴と一致する最も広い範囲を与えられるべきある。
以下に、本願出願の当初の特許請求の範囲に記載された発明を付記する。
［Ｃ１］
ワイヤレス通信デバイスにおいてマルチキャストレート制御を行う方法であって、前記方法が、
第１のデータレートでマルチキャストグループ中の複数の局にデータフレームを送信することと、
前記複数の局の第１のサブセットに肯定応答（ＡＣＫ）を要求することと、
前記ＡＣＫを使用して前記複数の局の前記第１のサブセットについてのフレーム損失を判断することと、
前記複数の局の前記第１のサブセットについての前記フレーム損失に基づいて第２のデータレートを判断することと、
前記複数の局の前記第１のサブセットについての前記フレーム損失に基づいて前記複数の局の第２のサブセットを選択することと、
前記第２のデータレートで前記複数の局にデータフレームを送信することと、
前記複数の局の前記第２のサブセットのみにＡＣＫを要求することとを備える、方法。
［Ｃ２］
前記複数の局のすべてを選択することによって前記複数の局の前記第１のサブセットを選択することをさらに含む、Ｃ１に記載の方法。
［Ｃ３］
前記複数の局のランダムサブセットを選択することによって前記複数の局の前記第１のサブセットを選択することをさらに含む、Ｃ１に記載の方法。
［Ｃ４］
過去の低い信号強度（ＲＳＳＩ）をもつ局を選択することによって前記複数の局の前記第１のサブセットを選択することをさらに含む、Ｃ１に記載の方法。
［Ｃ５］
過去のサウンディングフィードバックに基づいて局を選択することによって前記複数の局の前記第１のサブセットを選択することをさらに含む、Ｃ１に記載の方法。
［Ｃ６］
前記第２のデータレートを判断することが、前記複数の局の前記第１のサブセットについての前記フレーム損失のうちの少なくとも１つを所定のしきい値と比較することをさらに含む、Ｃ１に記載の方法。
［Ｃ７］
前記複数の局の前記第２のサブセットからの前記ＡＣＫを使用して、前記複数の局の前記第２のサブセットについてのフレーム損失を判断することと、
前記複数の局の前記第２のサブセットについての前記フレーム損失に基づいて現在のデータレートを調整することと、前記調整することが、調整されたデータレートを生成する、
前記調整されたデータレートを使用して前記複数の局にデータフレームを送信することとをさらに含む、Ｃ１に記載の方法。
［Ｃ８］
前記調整することが、前記複数の局の前記第２のサブセットについての前記フレーム損失のうちの少なくとも１つを所定のしきい値と比較することを含む、Ｃ７に記載の方法。
［Ｃ９］
前記調整されたデータレートを使用して前記複数の局に前記データフレームを送信した後に、時間期間が満了したかどうかを判断することをさらに含む、Ｃ７に記載の方法。
［Ｃ１０］
前記時間期間が満了したとき、前記第１のデータレートで前記マルチキャストグループ中の前記複数の局にデータフレームを送信することに戻ることと、
前記時間期間が満了しなかったとき、前記複数の局の前記第２のサブセットのみにＡＣＫを要求することに戻ることとをさらに含む、Ｃ９に記載の方法。
［Ｃ１１］
前記第１のデータレートが最低データレートである、Ｃ１に記載の方法。
［Ｃ１２］
前記第１のデータレートが低いが、最低データレートでない、Ｃ１に記載の方法。
［Ｃ１３］
前記複数の局の前記第１のサブセットについての前記フレーム損失を判断することが、パケットエラーレート（ＰＥＲ）を判断することを含む、Ｃ１に記載の方法。
［Ｃ１４］
前記複数の局の前記第２のサブセットを選択することが、最高フレーム損失をもつ局を識別することを含む、Ｃ１に記載の方法。
［Ｃ１５］
前記複数の局の前記第２のサブセットを選択することが、最高フレーム損失をもつ少なくとも２つの局を選択することを含む、Ｃ１に記載の方法。
［Ｃ１６］
前記複数の局の前記第２のサブセットを選択することが、最高フレーム損失をもつ前記複数の局の所定の割合を選択することを含む、Ｃ１に記載の方法。
［Ｃ１７］
前記複数の局の前記第２のサブセットを選択することが、前記複数の局の前記第１のサブセットに少なくとも１つの局をランダムに追加することを含む、Ｃ１に記載の方法。
［Ｃ１８］
ワイヤレス通信デバイスにおいてマルチキャストレート制御を行う方法であって、
マルチキャストグループ中の複数の局の第１のサブセットを用いてサウンディングを実行することと、
前記サウンディングに基づいて前記複数の局の前記第１のサブセットからフィードバックを受信することと、
前記フィードバックに基づいて前記複数の局の第２のサブセットを選択することと、
第１のデータレートで前記複数の局にデータフレームを送信することと、
前記複数の局の前記第２のサブセットのみに肯定応答（ＡＣＫ）を要求することとを備える、方法。
［Ｃ１９］
前記第１のデータレートが、前記複数の局の前記第１のサブセットの前記フィードバックに基づいて判断される、Ｃ１８に記載の方法。
［Ｃ２０］
前記複数の局の前記第２のサブセットの場合のフレーム損失を判断することと、
前記複数の局の前記第２のサブセットの場合の前記フレーム損失に基づいて、調整されたデータレートを判断することと、
前記調整されたデータレートで前記複数の局にデータフレームを送信することとをさらに含む、Ｃ１８に記載の方法。
［Ｃ２１］
前記複数の局の前記第１のサブセットが前記複数の局のすべてを含む、Ｃ１８に記載の方法。
［Ｃ２２］
前記複数の局の前記第１のサブセットが前記複数の局のランダムサブセットを含む、Ｃ１８に記載の方法。
［Ｃ２３］
前記複数の局の前記第１のサブセットが、過去に低い信号強度（ＲＳＳＩ）をもつ局を含む、Ｃ１８に記載の方法。
［Ｃ２４］
前記複数の局の前記第１のサブセットが、過去のサウンドフィードバックに基づいて選択される、Ｃ１８に記載の方法。
［Ｃ２５］
前記複数の局の前記第２のサブセットを選択することが、前記複数の局の前記第１のサブセットに属さない少なくとも１つの局をランダムに追加することをさらに含む、Ｃ１８に記載の方法。
［Ｃ２６］
トリガが検出されるまで、
前記複数の局の前記第２のサブセットのみにＡＣＫを要求することと、
前記複数の局の前記第２のサブセットの場合のフレーム損失を判断することと、
前記複数の局の前記第２のサブセットの場合の前記フレーム損失に基づいて、前記調整されたデータレートを判断することと、
前記調整されたデータレートを使用して前記複数の局にデータを送信することとを繰り返すことをさらに含む、Ｃ１８に記載の方法。
［Ｃ２７］
ワイヤレス通信デバイスにおいてマルチキャストレート制御を行うためのコンピュータ実行可能命令を記憶する非一時的コンピュータ可読媒体であって、前記命令が、プロセッサによって実行されたとき、前記プロセッサに、
第１のデータレートでマルチキャストグループ中の複数の局にデータフレームを送信することと、
前記複数の局の第１のサブセットに肯定応答（ＡＣＫ）を要求することと、
前記ＡＣＫを使用して前記複数の局の前記第１のサブセットについてのフレーム損失を判断することと、
前記複数の局の前記第１のサブセットについての前記フレーム損失に基づいて第２のデータレートを判断することと、
前記複数の局の前記第１のサブセットについての前記フレーム損失に基づいて前記複数の局の第２のサブセットを選択することと、
前記第２のデータレートで前記複数の局にデータフレームを送信することと、
前記複数の局の前記第２のサブセットのみにＡＣＫを要求することとを備えるプロセスを実行させる、非一時的コンピュータ可読媒体。
［Ｃ２８］
前記複数の局のすべてを選択することによって前記複数の局の前記第１のサブセットを選択することをさらに含む、Ｃ２７に記載のコンピュータ可読媒体。
［Ｃ２９］
前記複数の局のランダムサブセットを選択することによって前記複数の局の前記第１のサブセットを選択することをさらに含む、Ｃ２７に記載のコンピュータ可読媒体。
［Ｃ３０］
過去の低い信号強度（ＲＳＳＩ）をもつ局を選択することによって前記複数の局の前記第１のサブセットを選択することをさらに含む、Ｃ２７に記載のコンピュータ可読媒体。
［Ｃ３１］
過去のサウンディングフィードバックに基づいて局を選択することによって前記複数の局の前記第１のサブセットを選択することをさらに含む、Ｃ２７に記載のコンピュータ可読媒体。
［Ｃ３２］
前記第２のデータレートを判断することが、前記複数の局の前記第１のサブセットについての前記フレーム損失のうちの少なくとも１つを所定のしきい値と比較することをさらに含む、Ｃ２７に記載のコンピュータ可読媒体。
［Ｃ３３］
前記複数の局の前記第２のサブセットからの前記ＡＣＫを使用して、前記複数の局の前記第２のサブセットについてのフレーム損失を判断することと、
前記複数の局の前記第２のサブセットについての前記フレーム損失に基づいて現在のデータレートを調整することと、前記調整することが、調整されたデータレートを生成する、
前記調整されたデータレートを使用して前記複数の局にデータフレームを送信することとをさらに含む、Ｃ２７に記載のコンピュータ可読媒体。
［Ｃ３４］
前記調整することが、前記複数の局の前記第２のサブセットについての前記フレーム損失のうちの少なくとも１つを所定のしきい値と比較することを含む、Ｃ３３に記載のコンピュータ可読媒体。
［Ｃ３５］
前記調整されたデータレートを使用して前記複数の局に前記データフレームを送信した後に、時間期間が満了したかどうかを判断することをさらに含む、Ｃ３３に記載のコンピュータ可読媒体。
［Ｃ３６］
前記時間期間が満了したとき、前記第１のデータレートで前記マルチキャストグループ中の前記複数の局にデータフレームを送信するステップに戻ることと、
前記時間期間が満了しなかったとき、前記複数の局の前記第２のサブセットのみにＡＣＫを要求するステップに戻ることとをさらに含む、Ｃ３５に記載のコンピュータ可読媒体。
［Ｃ３７］
前記第１のデータレートが最低データレートである、Ｃ２７に記載のコンピュータ可読媒体。
［Ｃ３８］
前記第１のデータレートが低いが、最低データレートでない、Ｃ２７に記載のコンピュータ可読媒体。
［Ｃ３９］
前記複数の局の前記第１のサブセットについての前記フレーム損失を判断することが、パケットエラーレート（ＰＥＲ）を判断することを含む、Ｃ２７に記載のコンピュータ可読媒体。
［Ｃ４０］
前記複数の局の前記第２のサブセットを選択することが、最高フレーム損失をもつ局を識別することを含む、Ｃ２７に記載のコンピュータ可読媒体。
［Ｃ４１］
前記複数の局の前記第２のサブセットを選択することが、最高フレーム損失をもつ少なくとも２つの局を選択することを含む、Ｃ２７に記載のコンピュータ可読媒体。
［Ｃ４２］
前記複数の局の前記第２のサブセットを選択することが、最高フレーム損失をもつ前記複数の局の所定の割合を選択することを含む、Ｃ２７に記載のコンピュータ可読媒体。
［Ｃ４３］
前記複数の局の前記第２のサブセットを選択することが、前記複数の局の前記第１のサブセットに少なくとも１つの局をランダムに追加することを含む、Ｃ２７に記載のコンピュータ可読媒体。
［Ｃ４４］
ワイヤレス通信デバイスにおいてマルチキャストレート制御を行うためのコンピュータ実行可能命令を記憶する非一時的コンピュータ可読媒体であって、前記命令が、プロセッサによって実行されたとき、前記プロセッサに、
マルチキャストグループ中の複数の局の第１のサブセットを用いてサウンディングを実行することと、
前記サウンディングに基づいて前記複数の局の前記第１のサブセットからフィードバックを受信することと、
前記フィードバックに基づいて前記複数の局の第２のサブセットを選択することと、
第１のデータレートで前記複数の局にデータフレームを送信することと、
前記複数の局の前記第２のサブセットのみに肯定応答（ＡＣＫ）を要求することとを備えるプロセスを実行させる、非一時的コンピュータ可読媒体。
［Ｃ４５］
前記第１のデータレートが、前記複数の局の前記第１のサブセットの前記フィードバックに基づいて判断される、Ｃ４４に記載のコンピュータ可読媒体。
［Ｃ４６］
前記複数の局の前記第２のサブセットの場合のフレーム損失を判断することと、
前記複数の局の前記第２のサブセットの場合の前記フレーム損失に基づいて、調整されたデータレートを判断することと、
前記調整されたデータレートで前記複数の局にデータフレームを送信することとをさらに含む、Ｃ４４に記載のコンピュータ可読媒体。
［Ｃ４７］
前記複数の局の前記第１のサブセットが前記複数の局のすべてを含む、Ｃ４４に記載のコンピュータ可読媒体。
［Ｃ４８］
前記複数の局の前記第１のサブセットが前記複数の局のランダムサブセットを含む、Ｃ４４に記載のコンピュータ可読媒体。
［Ｃ４９］
前記複数の局の前記第１のサブセットが、過去に低い信号強度（ＲＳＳＩ）をもつ局を含む、Ｃ４４に記載のコンピュータ可読媒体。
［Ｃ５０］
前記複数の局の前記第１のサブセットが、過去のサウンドフィードバックに基づいて選択される、Ｃ４４に記載のコンピュータ可読媒体。
［Ｃ５１］
前記複数の局の前記第２のサブセットを選択することが、前記複数の局の前記第１のサブセットに属さない少なくとも１つの局をランダムに追加することをさらに含む、Ｃ４４に記載のコンピュータ可読媒体。
［Ｃ５２］
トリガが検出されるまで、
前記複数の局の前記第２のサブセットのみにＡＣＫを要求することと、
前記複数の局の前記第２のサブセットの場合のフレーム損失を判断することと、
前記複数の局の前記第２のサブセットの場合の前記フレーム損失に基づいて、前記調整されたデータレートを判断することと、
前記調整されたデータレートを使用して前記複数の局にデータを送信することとを繰り返すことをさらに含む、Ｃ４４に記載のコンピュータ可読媒体。
［Ｃ５３］
プロセッサブロックと、
前記プロセッサブロックに動作可能に関係する通信ブロックとを備える電子デバイスであって、前記通信ブロックが、前記電子デバイスにおいてマルチキャストレート制御を行うように構成され、前記通信ブロックが、
第１のデータレートでマルチキャストグループ中の複数の局にデータフレームを送信することと、
前記複数の局の第１のサブセットに肯定応答（ＡＣＫ）を要求することと、
前記ＡＣＫを使用して前記複数の局の前記第１のサブセットについてのフレーム損失を判断することと、
前記複数の局の前記第１のサブセットについての前記フレーム損失に基づいて第２のデータレートを判断することと、
前記複数の局の前記第１のサブセットについての前記フレーム損失に基づいて前記複数の局の第２のサブセットを選択することと、
前記第２のデータレートで前記複数の局にデータフレームを送信することと、
前記複数の局の前記第２のサブセットのみにＡＣＫを要求することとを備えるプロセスを実行するように構成された、電子デバイス。
［Ｃ５４］
前記複数の局のすべてを選択することによって前記複数の局の前記第１のサブセットを選択することをさらに含む、Ｃ５３に記載の電子デバイス。
［Ｃ５５］
前記複数の局のランダムサブセットを選択することによって前記複数の局の前記第１のサブセットを選択することをさらに含む、Ｃ５３に記載の電子デバイス。
［Ｃ５６］
過去の低い信号強度（ＲＳＳＩ）をもつ局を選択することによって前記複数の局の前記第１のサブセットを選択することをさらに含む、Ｃ５３に記載の電子デバイス。
［Ｃ５７］
過去のサウンディングフィードバックに基づいて局を選択することによって前記複数の局の前記第１のサブセットを選択することをさらに含む、Ｃ５３に記載の電子デバイス。
［Ｃ５８］
前記第２のデータレートを判断することが、前記複数の局の前記第１のサブセットについての前記フレーム損失のうちの少なくとも１つを所定のしきい値と比較することをさらに含む、Ｃ５３に記載の電子デバイス。
［Ｃ５９］
前記複数の局の前記第２のサブセットからの前記ＡＣＫを使用して、前記複数の局の前記第２のサブセットについてのフレーム損失を判断することと、
前記複数の局の前記第２のサブセットについての前記フレーム損失に基づいて現在のデータレートを調整することと、前記調整することが、調整されたデータレートを生成する、
前記調整されたデータレートを使用して前記複数の局にデータフレームを送信することとをさらに含む、Ｃ５３に記載の電子デバイス。
［Ｃ６０］
前記調整することが、前記複数の局の前記第２のサブセットについての前記フレーム損失のうちの少なくとも１つを所定のしきい値と比較することを含む、Ｃ５９に記載の電子デバイス。
［Ｃ６１］
前記調整されたデータレートを使用して前記複数の局に前記データフレームを送信した後に、時間期間が満了したかどうかを判断することをさらに含む、Ｃ５９に記載の電子デバイス。
［Ｃ６２］
前記時間期間が満了したとき、前記第１のデータレートで前記マルチキャストグループ中の前記複数の局にデータフレームを送信するステップに戻ることと、
前記時間期間が満了しなかったとき、前記複数の局の前記第２のサブセットのみにＡＣＫを要求するステップに戻ることとをさらに含む、Ｃ６１に記載の電子デバイス。
［Ｃ６３］
前記第１のデータレートが最低データレートである、Ｃ５３に記載の電子デバイス。
［Ｃ６４］
前記第１のデータレートが低いが、最低データレートでない、Ｃ５３に記載の電子デバイス。
［Ｃ６５］
前記複数の局の前記第１のサブセットについての前記フレーム損失を判断することが、パケットエラーレート（ＰＥＲ）を判断することを含む、Ｃ５３に記載の電子デバイス。
［Ｃ６６］
前記複数の局の前記第２のサブセットを選択することが、最高フレーム損失をもつ局を識別することを含む、Ｃ５３に記載の電子デバイス。
［Ｃ６７］
前記複数の局の前記第２のサブセットを選択することが、最高フレーム損失をもつ少なくとも２つの局を選択することを含む、Ｃ５３に記載の電子デバイス。
［Ｃ６８］
前記複数の局の前記第２のサブセットを選択することが、最高フレーム損失をもつ前記複数の局の所定の割合を選択することを含む、Ｃ５３に記載の電子デバイス。
［Ｃ６９］
前記複数の局の前記第２のサブセットを選択することが、前記複数の局の前記第１のサブセットに少なくとも１つの局をランダムに追加することを含む、Ｃ５３に記載の電子デバイス。
［Ｃ７０］
プロセッサブロックと、
前記プロセッサブロックに動作可能に関係する通信ブロックとを備える電子デバイスであって、前記通信ブロックが、前記電子デバイスにおいてマルチキャストレート制御を行うように構成され、前記通信ブロックが、
マルチキャストグループ中の複数の局の第１のサブセットを用いてサウンディングを実行することと、
前記サウンディングに基づいて前記複数の局の前記第１のサブセットからフィードバックを受信することと、
前記フィードバックに基づいて前記複数の局の第２のサブセットを選択することと、
第１のデータレートで前記複数の局にデータフレームを送信することと、
前記複数の局の前記第２のサブセットのみに肯定応答（ＡＣＫ）を要求することとを備えるステップを実行するように構成された、電子デバイス。
［Ｃ７１］
前記通信ブロックが、
前記複数の局の前記第２のサブセットの場合のフレーム損失を判断することと、
前記複数の局の前記第２のサブセットの場合の前記フレーム損失に基づいて、調整されたデータレートを判断することと、
前記調整されたデータレートで前記複数の局にデータフレームを送信することとを含むステップを実行するようにさらに構成された、Ｃ７０に記載の電子デバイス。
［Ｃ７２］
前記通信ブロックは、
トリガが検出されるまで、
前記複数の局の前記第２のサブセットのみにＡＣＫを要求することと、
前記複数の局の前記第２のサブセットの場合のフレーム損失を判断することと、
前記複数の局の前記第２のサブセットの場合の前記フレーム損失に基づいて、前記調整されたデータレートを判断することと、
前記調整されたデータレートを使用して前記複数の局にデータを送信することとを繰り返すことを含むステップを実行するようにさらに構成された、Ｃ７１に記載の電子デバイス。
［Ｃ７３］
前記電子デバイスが、ノートブックコンピュータ、デスクトップコンピュータ、タブレットコンピュータ、ネットブック、モバイルフォン、ゲーミングコンソール、または携帯情報端末（ＰＤＡ）である、Ｃ７０に記載の電子デバイス。